(57)【要約】      （修正有）【課題】遮音壁の吸音板の補修に掛かる費用を節減し、工期を短縮することができる遮音壁の吸音板の修復パネルを提供する。【解決手段】長方形状のパネルで、吸音面の上端部を鈍角に折り曲げ、裏面に両面テープを備える。吸音板の腐蝕箇所に両面テープで仮止めした後に、リベットを打ち付けて固定する。【選択図】図１
0003172012.tif 000002
【実用新案登録請求の範囲】
【請求項１】
長方形状のパネルで、リベットで遮音壁の吸音板の腐蝕箇所に重ね張り出来るようにしたことを特徴とする遮音壁の吸音板の修復パネル。
【請求項２】
吸音板の修復パネルの上端部を鈍角に折り曲げ、たわみ及び歪みを防止したことを特徴とする請求項１に記載の遮音壁の吸音板の修復パネル。
【請求項３】
吸音板の修復パネルの裏面に両面テープを備え、吸音板の修復パネルを腐蝕箇所に貼るとき、両面テープで仮止めした後にリベットを打ち付け、遮音壁の吸音板に固定するようにしたことを特徴とする請求項１又は請求項２に記載の吸音板の修復パネル。
【請求項４】
吸音板の修復パネルにリベットを打てる箇所を示すリベット打ち付け印をつけたことを特徴とする請求項１から請求項３の何れかに記載の吸音板の修復パネル。
【考案の詳細な説明】
【技術分野】
【０００１】道路、鉄道などの騒音対策に用いる遮音壁の吸音板の補修が可能で、メンテナンスに優れた修復パネルに関する。
【背景技術】
【０００２】道路、鉄道などの遮音壁が設置されてから約３５年経過し、風雨及び構造上の問題により、腐蝕、劣化が進行し、取換の時期を迎え、高額な補修費用が社会問題化している。現行の遮音壁の吸音板の取換施工の補修方法の改良、改善を図って、大幅なメンテナンス費用の削減が求められている。
【先行技術文献】
【特許文献】
【０００３】
【特許文献１】  特開２００４−２９３２２０
【考案の概要】
【考案が解決しようとする課題】
【０００４】道路、鉄道といった公共輸送機関の騒音対策として遮音壁が大量に設置されて、約３５年が経過し、風雨と路面凍結防止の為の塩散布により錆の誘発、腐蝕、劣化で交換、取換の時期が到来している。特に高速道路、新幹線は民営化され、これらの膨大な補修費用の捻出と対策が問題化してきた。【０００５】現在、既に設置されている遮音壁の補修は、遮音壁の吸音板を支柱から抜き取って、補修を施してから取付けるか、遮音壁の吸音板そのものを、新品に交換取付けをしていた。
遮音壁の吸音板の補修に掛かる費用を節減し、工期を短縮する必要がある。
【課題を解決するための手段】
【０００６】長方形状のパネルで、リベットで遮音壁の吸音板の腐蝕箇所に重ね張り出来るようにしたことを特徴とする遮音壁の吸音板の修復パネル。【０００７】修復パネルは、吸音面の上端部を鈍角に折り曲げ、たわみ及び歪みを防止したことを特徴とする遮音壁の吸音板の修復パネル。【０００８】吸音板の修復パネルの裏面に両面テープを備えることにより、吸音板の修復パネルを腐蝕箇所に貼るとき、両面テープで仮止めした後にリベットを打ち付け、遮音壁の吸音板に固定することを特徴とする吸音板の修復パネル。【０００９】吸音板の修復パネルにリベットを打てる箇所を示す印をつけたことを特徴とする吸音板の修復パネル。
【考案の効果】
【００１０】腐蝕、劣化及び事故などで損傷した遮音壁の吸音板６を撤去せずに補修でき、取換に掛かる材料費及び工事費の大幅なコストダウン効果が図れ、工期の短縮が可能となる。【００１１】現在、設置されている遮音壁の吸音板６を設置現場で修復パネル３を差し込み重ね張りして補強することでメンテナンス費用の大幅削減が可能となる。
【図面の簡単な説明】
【００１２】
【図１】本考案の遮音壁の吸音板の修復パネルの構成  （Ａ）既設遮音壁の設置図と修復パネルの取付けの構成  （Ｂ）修復パネルの上部拡大図
【図２】本考案の遮音壁の吸音板の修復パネルの取付け方法  （Ａ）既設遮音壁の吸音板の損傷部  （Ｂ）修復パネルの表面にリベット打ち付け印を設けた状態、  （Ｃ）修復パネルの裏側に両面テープを貼った状態、  （Ｄ）（Ｂ）の両面テープを貼った修復パネルを遮音壁にあてて、仮止めしてリベット又はビスなどで取り付けた概念図である。
【図３】既設遮音壁の吸音板の損傷部、破損部に差し込み重ね張り補修した図  （Ａ）吸音板１枚毎、修復パネルを取付けた場合の構成  （Ｂ）吸音板の部分的に修復パネルを取付けた場合の構成  （Ｃ）吸音板２枚に渡り修復パネルを取付けた場合
【考案を実施するための形態】
【００１３】図１は本考案の遮音壁の吸音板の修復パネルの構成を示す。
（Ａ）は全体構成で、（Ｂ）は修復パネル２の上部（図１（Ａ）の丸枠部）の拡大断面図である。従来は、遮音壁の吸音板６を支柱５から上部方向に抜き取ってから、腐蝕、劣化した前面パネルを取外し、新しい前面パネル（アルミ製）を取付けて、再度支柱に挿入して取付けるか、あるいは遮音壁の吸音板６そのものを、新品に交換取付け施工していた。
本考案では、腐蝕、劣化または事故などで損傷した既設の遮音壁の吸音板６の前面の吸音面の損傷部１をそのままの状態で、直接に修復パネル２（アルミ及び高耐候性鍍金鋼板製）を重ね張りし、リベットまたはビスなど３で固定するようにし、メンテナンス費用の大幅削減が可能となるようにした。また、修復パネル２の垂直部の上部を鈍角に折り曲げている。鈍角に折り曲げることで、修復パネルのたわみ、そり、歪みを防止できる。
【００１４】図２は、本考案の遮音壁の吸音板の修復パネルの取付け方法を示す。（Ａ）は吸音板が腐蝕劣化、又は事故などで損傷している遮音壁の損傷部の概念図である。（Ｂ）は修復パネルの表面にリベット打ち付け印をもうけた状態、（Ｃ）は修復パネルの裏側に両面テープを貼った状態、（Ｄ）は（Ｂ）の両面テープを貼った修復パネルを遮音壁にあてて、仮止めしてリベット又はビスなどで取り付けた概念図である。
遮音壁の吸音板６が腐蝕、劣化している遮音壁の損傷部１に、両面テープを貼った修復パネルを当て、リベット打ち付け印の箇所にリベットを打ち付け、吸音板６に対して修復パネルを正確に固定する。
なお、両面テープを吸音板に貼り付けてから、修復パネルを固定してもよい。
【００１５】図３（Ａ）は既設の遮音壁の吸音板６が腐蝕、劣化または事故などで損傷している正面図である。腐蝕、劣化または事故などで損傷１している既設の遮音壁の吸音板６に修復パネル２を重ね張り４ａして、リベットまたはビスなど３で固定するようにした。図３（Ｂ）は、既設の遮音壁の吸音板６が事故などにより遮音壁の損傷部１に部分補修専用の修復パネル板２で重ね張り４ｂして、リベットまたはビスなど３で固定するようにした。
図３（Ｃ）は既設の遮音壁の吸音板６が複数枚事故などにより損傷１した遮音壁の損傷部１に複数枚を１枚の大型の修復パネルに重ね張り４ｃして、リベットまたはビス３などで固定するようにした。
【産業上の利用可能性】
【００１６】道路、鉄道の社会的インフラは此処３５年高速道路、新幹線は全国的に整備されたものの、構造物に付帯設置された遮音壁の吸音板は腐蝕、劣化が進行し、補修、取換、交換を余儀なくされ、今後十数年間に渡って膨大な保守保全費用が想定される。これら多額の維持、補修費用を極力節減する為に、遮音壁の吸音板の修復パネルを用いることにより、部分補修することで材料費、施工費、工期短縮が可能となり、膨大な交換取換に掛かっていたメンテナンス費用の節減が実現できる
【符号の説明】
【００１７】１                遮音壁の損傷部
２                修復パネル
３                リベットまたはビスなど
４ａ、４ｂ、４ｃ  重ね張り
５                支柱
６                吸音板
７                両面テープ
８                リベット打ち付け印
【図１】
0003172012.tif 000003
【図２】
0003172012.tif 000004
【図３】
0003172012.tif 000005